(57)【特許請求の範囲】
【請求項１】
充電対象物の受電コネクタに係合する、一対の係合部材を有する係合機構と、
前記係合機構が前記受電コネクタに係合した場合に、前記係合機構との係合が解除されて充電禁止位置から充電許可位置へ動作することにより係合が完了したことを報知する報知部材と、を備える給電コネクタにおいて、
前記係合機構は、
前記一方の係合部材との係合により前記報知部材を前記充電禁止位置に保持した状態で、前記給電コネクタを前記受電コネクタに装着した場合に、
当該装着する途中で前記他方の係合部材と前記報知部材とを係合したのち、前記一方の係合部材と前記報知部材との係合を解除し、
さらに装着を継続して前記給電コネクタと前記受電コネクタとの係合が完了した場合に、前記他方の係合部材と前記報知部材との係合を解除する給電コネクタ。
【請求項２】
請求項１に記載の給電コネクタにおいて、
前記報知部材は、前記給電コネクタの筐体に対して前記充電禁止位置と前記充電許可位置との間を移動可能に設けられるとともに、前記充電許可位置方向に弾性付勢され、
前記一方の係合部材は、前記報知部材が前記充電禁止位置にある場合に当該報知部材の第１被係合部と係合する第１係合部を一端部に有し、前記給電コネクタを前記受電コネクタに装着した場合に前記受電コネクタと接触する接触部を他端部に有し、前記筐体に対して前記第１係合部と前記接触部との間の点を中心に回転可能に設けられ、前記第１係合部が前記第１被係合部に接近する回転方向に弾性付勢され、
前記他方の係合部材は、前記給電コネクタを前記受電コネクタに装着した場合に前記受電コネクタの第２被係合部と係合する第２係合部を一端部に有し、前記報知部材が前記充電禁止位置にある場合に当該報知部材の第３被係合部と係合する第３係合部を他端部に有し、前記筐体に対して前記第２係合部と前記第３係合部との間の点を中心に回転可能に設けられ、前記第２係合部が前記第２被係合部に接近する回転方向に弾性付勢されている給電コネクタ。
【請求項３】
請求項１又は２に記載の給電コネクタにおいて、
前記他方の係合部材に回転可能に設けられ、前記報知部材が前記充電禁止位置にある場合に当該報知部材と係合可能な位置に回動し、前記給電コネクタを前記受電コネクタに装着する途中で前記報知部材と係合可能な位置から係合不能な位置に回動する補助係合部材をさらに備える給電コネクタ。
【請求項４】
請求項１〜３のいずれか一項に記載の給電コネクタにおいて、
前記報知部材が前記充電許可位置にある場合に当該報知部材の移動を固定するように動作する固定部材と、
前記固定部材の動作を検出して、当該固定部材が前記報知部材の移動を固定する動作を行った場合に充電開始を許可する充電許可手段と、をさらに備える給電コネクタ。
【請求項５】
請求項２〜４のいずれか一項に記載の給電コネクタにおいて、
前記他方の係合部材の、前記受電コネクタの第２被係合部と係合する第２係合部は、前記他方の係合部材の回転動作にともなって、係合状態における装着方向の位置が非係合状態における装着方向の位置より前記筐体側に位置する給電コネクタ。
【請求項６】
請求項２〜５のいずれか一項に記載の給電コネクタにおいて、
前記他方の係合部材の、前記受電コネクタの第２被係合部と係合する第２係合部は、係合状態における装着方向の位置と非係合状態における装着方向の位置との距離が前記第２被係合部の長さより長く形成されている給電コネクタ。
【請求項７】
請求項１〜６のいずれか一項に記載の給電コネクタにおいて、
前記受電コネクタの受電端子に接続される給電端子と、当該給電端子が前記受電端子に接続される場合に弾性体により動作する可動部材と、
前記可動部材の弾性体の中間に設けられた中間プレートと、
前記給電コネクタを前記受電コネクタに装着する際に前記中間プレートを解放する解放部材と、をさらに備える給電コネクタ。
【請求項８】
請求項１〜７のいずれか一項に記載の給電コネクタにおいて、
前記他方の係合部材の前記第２係合部と回転中心点との間の破損を検出する検出手段をさらに備える給電コネクタ。
【発明の詳細な説明】
【技術分野】
【０００１】
本発明は、電気自動車などの充電に用いられる給電コネクタに関するものである。
【背景技術】
【０００２】
電気自動車の受電コネクタに装着して、充電装置からの電力を電気自動車のバッテリに供給する給電コネクタとして、特許文献１に開示されたものが知られている。この充電コネクタは、受電コネクタに装着されるコネクタ本体と、当該コネクタ本体を同軸方向に摺動可能に収納するハンドルと、当該ハンドルに枢着されたレバーとを備え、ハンドルを握ってコネクタ本体を受電コネクタに挿入して仮ロックし、この状態でレバーを握り締めると、コネクタ本体が受電コネクタ方向に前進するとともに給電コネクタと受電コネクタとが完全ロックするものである。
【先行技術文献】
【特許文献】
【０００３】
【特許文献１】特開平６−１８８０４４号公報
【発明の概要】
【発明が解決しようとする課題】
【０００４】
しかしながら、上記従来の給電コネクタは、給電コネクタを受電コネクタに完全ロックさせるためにレバーを握る操作が必要とされるので、給電コネクタの装着作業が複雑になるという問題がある。
【０００５】
本発明が解決しようとする課題は、装着操作を簡素化した給電コネクタを提供することである。
【課題を解決するための手段】
【０００６】
本発明は、一方の係合部材と報知部材とを係合させた状態で給電コネクタを受電コネクタに挿入し、当該挿入する途中で他方の係合部材と報知部材とを係合したのち一方の係合部材と報知部材との係合を解除し、給電コネクタと充電コネクタとの係合を完了したときに他方の係合部材と報知部材との係合を解除し、報知部材を充電禁止位置から充電許可位置へ動作させることによって上記課題を解決する。
【発明の効果】
【０００７】
本発明によれば、給電コネクタを受電コネクタに挿入する操作だけで給電コネクタと充電コネクタとを係合させることができるとともに、このとき報知部材が充電禁止位置から充電許可位置へ動作するので、充電操作者は給電コネクタの係合完了を認識することができる。
【図面の簡単な説明】
【０００８】
【図１】本発明の一実施の形態に係る給電コネクタを示す要部断面図である。
【図２Ａ】図１の給電コネクタを受電コネクタに装着する際の係合機構の動作を示す断面図（その１，係合前）である。
【図２Ｂ】図１の給電コネクタを受電コネクタに装着する際の係合機構の動作を示す断面図（その２，係合初期）である。
【図２Ｃ】図１の給電コネクタを受電コネクタに装着する際の係合機構の動作を示す断面図（その３，係合中期）である。
【図２Ｄ】図１の給電コネクタを受電コネクタに装着する際の係合機構の動作を示す断面図（その４，係合終期）である。
【図２Ｅ】図１の給電コネクタを受電コネクタに装着する際の係合機構の動作を示す断面図（その５，係合完了）である。
【図３】図２Ａ〜図２Ｅの各段階における係合機構の動作を示すタイムチャートである。
【図４】図２ＥのIV部拡大図である。
【図５】本発明の他の実施の形態を示す第２係合部材の断面図である。
【図６Ａ】本発明のさらに他の実施の形態を示す給電端子の断面図である。
【図６Ｂ】図６Ａの中間プレートが解放された状態を示す断面図である。
【図６Ｃ】図６Ａの第５係合部の位置を示す給電コネクタの要部断面図である。
【図７】本発明のさらに他の実施の形態を示す給電コネクタの正面図である。
【発明を実施するための形態】
【０００９】
《第１実施形態》
最初に図１〜図３を参照して、本例の給電コネクタ１の係合機構１２と報知部材１６の主要機能について説明する。本例の給電コネクタ１は、電気自動車などの充電対象物の受電コネクタ２に装着して、図外の充電装置から電力を供給するものであり、筐体１１内にコネクタ本体が設けられ、コネクタ本体と充電装置がケーブルで接続されている。これらコネクタ本体及びケーブルは図示を省略するが、本例の給電コネクタ１は、コネクタ本体が筐体１１に対して固定されたタイプ（進退移動しないタイプ）のものであって、筐体１１のグリップ１１１を把持して、給電コネクタ１を受電コネクタ２に挿入すると、給電端子と受電端子が接続されるとともに係合機構１２が受電コネクタ２に係合してロックされるものである。この際に報知部材１６が充電禁止位置Ｐ１から充電許可位置Ｐ２に動作することで、充電作業者は給電コネクタ１が受電コネクタ２に係合したことを認識し、その後の所定の充電操作を行う。
【００１０】
本例の係合機構１２は、第１係合部材１３と第２係合部材１４と補助部材１５とを備え、これらが受電コネクタ２及び報知部材１６と係合又は解除することで、受電コネクタ２への係合と報知部材１６の動作が行われる。図１に示すように、第１係合部材１３は給電コネクタ１の下部に設けられ、第２係合部材１４は第１係合部から約１８０°位相した給電コネクタ１の上部に設けられている。
【００１１】
第１係合部材１３は、図１に示すように筐体１１に対して点Ｏ１を回転中心にして回転可能に支持されるリンク部材であって、給電コネクタ１の基端側の一端部に第１係合部１３１が形成され、先端側の一端部に接触部１３２が形成されている。基端側の第１係合部１３１は、先端側の接触部１３２が図１に示すように突出している状態では報知部材１６の第１被係合部１６１と係合する一方で、接触部１３２が図２Ｃ〜図２Ｅに示すように没入している状態では報知部材１６の第１被係合部１６１との係合が解除される。
【００１２】
第１係合部材１３は、回転中心Ｏ１などにコイルバネ等の弾性体が設けられて、図１に示す回転方向Ａ１に向かって弾性付勢されている。そして、無負荷の状態では図１，図２Ａ〜図２Ｂに示す突出位置となる一方で、受電コネクタ２の被接触部２２に接触すると弾性付勢に抗して図２Ｃ〜図２Ｅに示す没入位置に回動することになる。
【００１３】
第２係合部材１４は、図１に示すように筐体１１に対して点Ｏ２を回転中心にして回転可能に支持されるリンク部材であって、給電コネクタ１の先端側の一端部に第２係合部１４１が形成され、基端側の一端部に第３係合部１４２が形成されている。第２係合部材１４は、回転中心Ｏ２などにコイルバネ等の弾性体が設けられて、図１に示す回転方向Ａ２に向かって弾性付勢されている。
【００１４】
そして、先端側の第２係合部１４１は、無負荷の状態では図１，図２Ａに示すように突出位置となる一方で、受電コネクタ２の第２被係合部２１の凸部２１１に接触している状態では図２Ｂ，図２Ｃに示すように没入位置になり、さらに第２被係合部２１の凸部２１１を通過すると、弾性付勢によって図２Ｄ，図２Ｅに示すように再び突出位置に戻り段部２１２に係合することになる。
【００１５】
なお、第２係合部１４１は、回転中心Ａ２に対して図１に示す側面視において上部に設けられているので、図４に拡大して示すように、一点鎖線で示す没入位置から実線で示す突出位置に回動すると、給電コネクタ１の軸方向（装着方向）にＬ１だけ後退することになる。これにより、第２係合部１４１が第２被係合部２１の凸部２１１を通過したのちに段部２１２に係合する際に受電コネクタ２の第２被係合部２１に完全に係合していない場合に後退方向へ引き込む動きをして完全に係合することになる。
【００１６】
また、第２係合部１４１は、上述したとおり没入位置から突出位置に回動する際に給電コネクタ１の軸方向にＬ１だけ後退するが、受電コネクタ２の第２被係合部２１の凸部２１１の軸方向の長さＬ２をＬ２＜Ｌ１としてもよい。こうすることで、第２係合部１４１が凸部２１１の途中で止まることが防止され、第２係合部１４１が第２被係合部２１に完全に係合するか、あるいは全く係合しないかのいずれかになる。
【００１７】
図１に戻り、基端側の第３係合部１４２は、先端側の第２係合部１４１が図１に示すように突出している状態では報知部材１６の第４被係合部１６３との係合が解除されている一方で、第２係合部１４１が図２Ｂ，図２Ｃに示すように没入している状態では報知部材１６の第４被係合部１６３と係合される。
【００１８】
補助部材１５は、第２係合部材１４の基端側に点Ｏ３を回転中心にして回転可能に支持されたリンク部材であって、回転中心Ｏ３に対する先端部に第４係合部１５１が形成されている。補助部材１５は、回転中心Ｏ３などにコイルバネ等の弾性体が設けられて、図１に示す回転方向Ａ３に向かって弾性付勢されている。そして、補助部材１５の第４係合部１５１は、無負荷の状態では図１，図２Ａ〜図２Ｃに示すように第２係合部材１４とともに連れ廻りし、第２係合部材１４の第２係合部１４１が突出位置にある場合は図１，図２Ａに示すように報知部材１６の第４被係合部１６３に係合可能な位置（以下、Ｐ３という）にあるが、第２係合部材１４の第２係合部１４１が没入位置になると図２Ｂ，図２Ｃに示すように報知部材１６の第４被係合部１６３に係合不能な位置（以下、Ｐ４という）に連れ廻る。
【００１９】
さらに補助部材１５は、図２Ｃに示す係合不能な位置Ｐ４にある場合に報知部材１６が同図の右側に前進すると報知部材１６の第４被係合部１６３を乗り越えるように矢印方向Ａ５へ回動し、報知部材１６が後退しない限り第４被係合部１６３とは係合しないことになる。本例の補助部材１５は、何らかの要因によって第２係合部材１４の第２係合部１４１が没入せずに第１係合部材１３の接触部１３２が没入した場合に、第１係合部１３１との係合が解除された報知部材１６が充電許可位置に動作するのを阻止するための部材である。
【００２０】
図１に戻り、報知部材１６は、筐体１１に対して出没可能に支持され、第１被係合部１６１、第３被係合部１６２及び第４被係合部１６３が形成され、コイルバネ等の弾性体によってＡ４方向に弾性付勢されている。そして、第１被係合部１６１と第１係合部材１３の第１係合部１３１とが係合すると、弾性付勢に抗して筐体１１に対して没入する位置（以下、充電禁止位置Ｐ１ともいう）に保持される。また、第１係合部１３１と第１被係合部１６１との係合が解除されても、第４被係合部１６３と補助部材１５の第４係合部１５１とが係合すると、没入位置（充電禁止位置Ｐ１）に保持される。
【００２１】
さらに、第１係合部１３１と第１被係合部１６１との係合が解除されても、第３被係合部１６２が第２係合部材１４の第３係合部１４２と係合すると、同じく没入位置（充電禁止位置Ｐ１）に保持される。一方、上記３つの係合が解除されると、弾性付勢によって図２Ｅに示す突出位置（以下、充電許可位置Ｐ２ともいう）に動作する。充電操作者は、当該報知部材１６が充電禁止位置Ｐ１にあるか充電許可位置Ｐ２にあるかを見て、給電コネクタ１が受電コネクタ２に完全に係合したか否かを認識する。なお、報知部材１６と、給電コネクタ１を受電コネクタ２から取り外す際のリリース部材とを共用してもよい。
【００２２】
受電コネクタ２は、給電コネクタ１の先端部分を受容するシェルを有し、このシェルの上部に第２被係合部２１が形成され、約１８０°位相した下部に被接触部２２が形成されている。第２被係合部２１は、上述したとおり凸部２１１と段部２１２を有し、凸部２１１は第２係合部材１４の第２係合部１４１を没入させるとともに段部２１２は第２係合部１４１と係合する。また、被接触部２２は第１係合部材１３の接触部１３２を没入させる。
【００２３】
次に作用を説明する。
図２Ａ及び図３（タイミングＴ０〜Ｔ１）に示すように、給電コネクタ１を受電コネクタ２に装着する前に、報知部材１６を充電禁止位置Ｐ１まで没入させると、第１係合部材１３の第１係合部１３１と報知部材１６の第１被係合部１６１とが係合する。これにより、報知部材１６は充電禁止位置Ｐ１に保持される。このとき、第２係合部材１４の第２係合部１４１は突出位置にあり、第３係合部１４２は報知部材１６の第３被係合部１６２と非係合状態にあり、補助部材１５の第４係合部１５１は報知部材１６の第４被係合部１６３と係合可能な位置Ｐ３にある。
【００２４】
この状態から給電コネクタ１を受電コネクタ２に対して装着方向に前進させると、図２Ｂ及び図３（タイミングＴ１〜Ｔ２）に示すように、最初に第２係合部材１４の第２係合部１４１が受電コネクタ２の凸部２１１によって没入し、これにより第２係合部材１４は点Ｏ２を回転中心にして反時計回りに没入寸法だけ回転する。この第２係合部材１４の回転により、第２係合部材１４の第３係合部１４２が報知部材１６の第３被係合部１６２に係合するとともに、補助部材１５の第４係合部１５１は報知部材１６の第３被係合部１６２に対して係合不能な位置Ｐ４に連れ廻る。
【００２５】
さらに給電コネクタ１を前進させると、図２Ｃ及び図３（タイミングＴ２〜Ｔ３）に示すように、第１係合部材１３の接触部１３２が受電コネクタ２の被接触部２２により没入し、これにより第１係合部材１３は点Ｏ１を回転中心にして没入寸法だけ時計回りに回転する。この第１係合部材１３の回転により、第１係合部１３１と報知部材１６の第１被係合部１６１との係合が解除されるが、報知部材１６の第３被係合部１６２はその前に第２係合部材１４の第３係合部１４２と係合しているので、僅かに前進するが充電禁止位置Ｐ１は保持される。なお、補助部材１５の第４係合部１５１は報知部材１６の第３被係合部１６２に対して係合不能な位置Ｐ４を維持する。
【００２６】
さらに給電コネクタ１を前進させると、図２Ｄ及び図３（タイミングＴ３〜）に示すように、第２係合部材１４の第２係合部１４１が凸部２１１を通過して段部２１２に至るので、弾性付勢により時計回りに回転して当該段部２１２と係合する。この第２係合部材１４の回転により、それまでの第３係合部１４２と報知部材１６の第３被係合部１６２との係合が解除されるので、報知部材１６は弾性付勢によって図２Ｅ及び図３に示すように充電許可位置Ｐ２に前進する。なお、報知部材１６が充電許可位置Ｐ２へ移動する際に補助部材１５の第４係合部１５１は第２係合部材１４に対して図２Ｄに示すＡ５方向へ相対的に回転し、報知部材１６の第４被係合部１６３と係合することはない。また、図２Ｄ及び図２Ｅにおいて、第１係合部材１３の接触部１３２は没入状態を維持する。
【００２７】
このように、本例の給電コネクタ１によれば、給電コネクタ１のグリップ１１１を把持して受電コネクタ２へ装着するだけで、第２係合部１４１を第２被係合部２１へ係合させることができるので、装着作業が簡素化されるとともに、これを構成する係合機構１１なども部品点数を削減することができる。
【００２８】
また、第２係合部材１４の第２係合部１４１が第２被係合部２１の凸部２１１によって没入したのち、第１係合部材１３の接触部１３２が受電コネクタ２の被接触部２２によって没入し、さらに第２係合部材１４の第２係合部１４１が第２被係合部２１の段部２１２によって突出して初めて報知部材１６が充電許可位置Ｐ２へ移動するので（図３のタイミングＴ３）、給電コネクタ１を受電コネクタ２の奥まで挿入しないと報知部材１６による充電禁止が解除されない。
【００２９】
また、本例では補助部材１５を設けているので、何らかの要因によって第２係合部材１４の第２係合部１４１が没入せずに第１係合部材１３の接触部１３２が没入した場合であっても、補助部材１５の第４係合部１５１と報知部材１６の第４被係合部１６３とが係合する。これにより、第１係合部１３１との係合が解除された報知部材１６が充電許可位置に動作するのを阻止することができる。
【００３０】
《他の実施形態》
図２Ｅに示す報知部材１６が充電許可位置Ｐ２へ移動した状態において、当該報知部材１６を機械的に固定するピンなどの固定部材を設け、さらにこの固定部材が報知部材１６を固定したか否かを検出するマイクロスイッチなどのセンサを設け、報知部材１６が充電許可位置Ｐ２に移動し、かつ固定部材による報知部材１６の固定が完了したことを検出した場合に、充電装置へ充電許可信号を出力するように構成してもよい。充電装置への充電許可信号は、充電装置の出力端子前に設けられたリレーをＯＮするように構成することができる。これにより、給電コネクタ１の受電コネクタ２への装着がより確実かつ強固になり、またさらにより安全性を高めることができる。
【００３１】
また、第２係合部材１４は、受電コネクタ２の凸部２１１により没入したのち突出して段部２１２に係合するため、係合した状態で給電コネクタ１を無理に引っ張ったりすると破損するおそれがある。そのため、特に脆弱な部分、たとえば図５に示すように第２係合部１４１と回転中心Ｏ２との間に、ここを架設する破損検知部材１７を設け、一端にマイクロスイッチ１８を設けて、第２係合部１４１が折損したり折れ曲がったりしたときに破損検知部材１７及びマイクロスイッチ１８でこれを検知し、充電を禁止する信号を出力するように構成してもよい。
【００３２】
図６Ａは、給電コネクタ１の筐体１１内に設けられるコネクタ本体の給電端子１９を示す断面図であり、給電端子１９が受電コネクタ２の受電端子２３に接続されることにより電力が供給される。給電端子１９を受電端子２３に接続するにあたり、その先端に可動部材１９１がコイルバネなどの弾性体１９３，１９４により図中左方向へ付勢されている。本例では、二つの弾性体１９３，１９４の間に中間プレート１９２を介装する。また、一端に受電コネクタ２の被接触部２２により出没する第５係合部１９６が設けられ、他端に中間プレート１９２を図６Ａに示す位置で固定又は解放する固定部１９７が設けられた回動アーム１９５が筐体１１の先端部に支持されている。回動アーム１９５の回転中心にはコイルバネなどの弾性体が設けられ、第５係合部１９６を突出方向に付勢する。
【００３３】
そして、給電コネクタ１を受電コネクタ２に装着する前の状態においては、図６Ａに示すように中間プレート１９２を、二つの弾性体１９３，１９４のうちの左側の弾性体１９３の弾性力が大きくなる位置において固定部１９７により固定する。この状態から給電コネクタ１を受電コネクタ２に装着すると、図６Ｃに示すように、第５係合部１９６は給電コネクタ１の先端部に設けられているので、装着開始直後に第５係合部１９６は没入し、これにより回動アーム１９５が図６Ｂに示すように時計回りに回転し、固定部１９７による中間プレート１９２の固定を解放する。その結果、中間プレート１９２は、二つの弾性体１９３，１９４の弾性力が等しくなる位置に移動する。すなわち、弾性体１９３の弾性力が低下するので、可動部材１９１は容易に右側に移動することができ、受電端子２３の接続が容易になる。
【００３４】
図７（Ａ）〜（Ｇ）はさらに他の実施形態を示す図であり、給電コネクタ１が重量物であることに鑑み、装着又は離脱時の助力装置を設けた例である。図７（Ａ）は肩又は二の腕に宛がう部材３Ａを筐体１１に固定した例であり、図７（Ｂ）は前腕に宛がう部材３Ｂを筐体１１に固定した例であり、図７（Ｃ）は肩かけ部材３Ｃを筐体１１に固定した例である。また、図７（Ｄ）は肩又は二の腕に宛がう部材３Ｄであって同図（Ｅ）に示すように不使用時は矢印方向へ格納できる構造とした例であり、図７（Ｆ）は同じく肩又は二の腕に宛がう部材３Ｆであって同図（Ｇ）に示すように矢印方向へ回転して格納できる構造とした例である。
【００３５】
上記第１係合部材１３は本発明に係る一方の係合部材に相当し、上記第２係合部材１４は本発明に係る他方の係合部材に相当し、上記破損検知部材１７及びマイクロスイッチ１８は本発明に係る検出手段に相当し、上記回動アーム１９５，第５係合部１９６及び固定部１９７は本発明に係る解放部材に相当する。
【符号の説明】
【００３６】
１…給電コネクタ
１１…筐体
１１１…グリップ
１２…係合機構
１３…第１係合部材
１３１…第１係合部
１３２…接触部
Ｏ１…回転中心点
Ａ１…弾性付勢方向
１４…第２係合部材
１４１…第２係合部
１４２…第３係合部
Ｏ２…回転中心点
Ａ２…弾性付勢方向
１５…補助係合部材
１５１…第４係合部
Ｏ３…回転中心点
Ａ３…弾性付勢方向
Ｐ３…係合可能位置
Ｐ４…係合不能位置
１６…報知部材
１６１…第１被係合部
１６２…第３被係合部
１６３…第４被係合部
Ｐ１…充電禁止位置
Ｐ２…充電許可位置
１７…破損検知部材
１８…マイクロスイッチ
１９…給電端子
１９１…可動部材
１９２…中間プレート
１９３，１９４…弾性体
１９５…回動アーム
１９６…第５係合部
１９７…固定部
２…受電コネクタ
２１…第２被係合部
２１１…凸部
２１２…段部
２２…被接触部
２３…受電端子
【図１】
0005917918.tif 000002
【図２Ａ】
0005917918.tif 000003
【図２Ｂ】
0005917918.tif 000004
【図２Ｃ】
0005917918.tif 000005
【図２Ｄ】
0005917918.tif 000006
【図２Ｅ】
0005917918.tif 000007
【図３】
0005917918.tif 000008
【図４】
0005917918.tif 000009
【図５】
0005917918.tif 000010
【図６Ａ】
0005917918.tif 000011
【図６Ｂ】
0005917918.tif 000012
【図６Ｃ】
0005917918.tif 000013
【図７】
0005917918.tif 000014